(57)【特許請求の範囲】
【請求項１】
ガレージへの車両の入庫を検出する入庫検出手段と、
前記入庫検出手段により車両の入庫が検出されている場合に、前記ガレージへの出入りのための開き戸の開放操作に対して警告を発する警告手段と、
前記開き戸を開放させる開放者と該開き戸との接触を、前記開放操作として検出する接触検出手段と、
前記開き戸の開放を規制すべく該開き戸を施錠する施錠手段と、
制御モードとして、前記警告手段の警告処理を行いつつ前記施錠手段を施錠状態のまま保持する施錠保持モードと、前記警告手段の警告処理を行いつつ前記施錠手段を解錠状態に移行させる解錠モードとに設定可能であり、前記入庫検出手段により前記車両の入庫が検出され、且つ前記接触検出手段によって前記開放操作が検出された場合に、設定された制御モードに応じて前記警告手段及び前記施錠手段を制御する制御手段と、
を備えたことを特徴とするガレージ出入口の安全装置。
【請求項２】
前記開き戸の前記ガレージとは反対側に、前記ガレージ外から前記開放操作を行なうための柄部が設けられており、
前記接触検出手段は前記柄部に設けられていることを特徴とする請求項１に記載のガレージ出入口の安全装置。
【請求項３】
前記警告手段は、前記警告として前記ガレージへの車両の入庫に関する情報を表示することを特徴とする請求項１又は２に記載のガレージ出入口の安全装置。
【請求項４】
前記施錠保持モードと前記解錠モードとを切替設定する設定スイッチを備えたことを特徴とする請求項１乃至３のいずれか１に記載のガレージ出入口の安全装置。
【請求項５】
前記入庫検出手段は、前記開き戸の可動エリア内に少なくとも前記車両の一部が存在することを検出することを特徴とする請求項１乃至４のいずれか１に記載のガレージ出入口の安全装置。
【請求項６】
前記入庫検出手段は、前記車両と前記開き戸との距離を検出するものであり、
当該入庫検出手段の検出結果に基づいて、予め定めた距離より前記開き戸が前記車両に近づくのを阻止すべく、前記開き戸の開度を制限する制限手段を備えたことを特徴とする請求項１乃至５のいずれか１に記載のガレージ出入口の安全装置。
【請求項７】
建物本体と、
前記建物本体の一部として形成され、車両が入庫されるスペースが確保されたインナガレージと、
そのインナガレージに形成され、前記建物本体との間を出入りするための開口と、
その開口を開閉するとともに開放時にはインナガレージ側へ開くように設定された開き戸と、
請求項１乃至６のいずれか１に記載の安全装置と
を備えたことを特徴とするインナガレージ付き建物。
【発明の詳細な説明】
【技術分野】
【０００１】
本発明は、ガレージ出入口の安全装置、及び建物の一部としてガレージを設けたインナガレージ付き建物に関するものである。
【背景技術】
【０００２】
敷地に車庫を設けるほどの余裕がないような状況では、ガレージを建物内に設置する所謂インナガレージが採用されることがある。インナガレージを有した建物では、インナガレージと居住空間とのアクセスを良好にするために、居住空間からインナガレージに繋がる出入口が設けられたものもある（例えば、特許文献１参照）。
【特許文献１】特開２００２−２０１８０３号公報
【発明の開示】
【発明が解決しようとする課題】
【０００３】
しかしながら、多くの場合、インナガレージは車に対して十分な広さを確保されないのが実情である。このため、インナガレージに繋がる出入口に開き戸が設けられている建物では、そのインナガレージ内に車両が停まっている場合に開き戸を開放すると、開き戸が車両に接触してしまうおそれがあり、車両を傷つけてしまうこともある。
【０００４】
なお、このような開き戸に関する問題は、インナガレージに限らず、出入口に開き戸が備えられているガレージにおいて同様に発生する問題であると考えられる。
【０００５】
本発明は、上記事情に鑑みなされたものであり、ガレージ内に停まっている車両と、ガレージへアクセスするための開き戸との接触を抑制することのできる安全装置を提供することを目的とするものである。
【課題を解決するための手段】
【０００６】
以下、上記課題を解決するのに有効な手段等につき、必要に応じて作用、効果等を示しつつ説明する。なお以下では、理解を容易にするため、発明の実施の形態において対応する構成例を括弧書き等で適宜示すが、この括弧書き等で示した具体的構成に限定されるものではない。
【０００７】
本発明であるガレージ出入口の安全装置では、入庫検出手段（入庫センサ３６）によりガレージ（ガレージ１５）への車両（車両１６）の入庫が検出され、警告手段（モニタ４１、スピーカ４２）により開き戸（開き戸２３）の開放操作に対して警告が発せられる。したがって、ガレージの使用者等がガレージに出入りする際に、その使用者等は、ガレージに車両が入庫されていることを知ることができるため、開き戸が車両に接触しないように注意しながら開放操作を行うことができる。このため、仮に、開放された状態の開き戸と接触するおそれのある位置に車両が停止していても、開き戸が車両に接触する可能性を低減させることが可能となる。故に、ガレージ内に停まっている車両と、ガレージへアクセスするための開き戸との接触を抑制することができる。
【０００８】
前記開放操作は、接触検出手段（タッチセンサ３５）を用いて、開放者が開き戸、特にその操作部（内側柄部２５）に触れたことを検出して行うのが好ましい。この場合、開き戸が実際に開放されるより前に使用者等に対して警告を発することが可能となり、開き戸の開放後に警告手段により警告が発せられるといった不都合の発生を抑制することができる。故に、車両と開き戸との接触をより確実に抑制することができる。
【０００９】
また、仮に開き戸に近づいただけで開放操作と判断されるもの（例えば、人感センサ）を用いた場合には、開き戸を開放する意思のない場合にも警告が発せられる不具合が生じ得る。この点、接触検出手段によって開放操作の検出を行うものではそのような不具合が生じることがない。
【００１０】
入庫検出手段により、開き戸の可動エリア内に少なくとも車両の一部が存在することが検出されると良い。ガレージに車両が入庫していても開き戸の可動エリア内に車両が存在していなければ、開き戸が車両に接触する可能性がないため、使用者等が開き戸の開放操作を行う際にその開き戸と車両との接触に対して注意を払う必要がない。これに対して、開き戸の可動エリア内にて車両の一部の存在が検出されることで、開き戸と車両とが接触する可能性がある場合に限って、開き戸の開放操作に際して使用者等に注意を促すことができる。
【００１１】
入庫検出手段により車両と開き戸との距離が検出され、その入庫検出手段の検出結果に基づいて制限手段（巻取機６４）により開き戸の開度が制限されると良い。開き戸の開度が制限されることで、予め定めた距離より開き戸が車両に近づくことが阻止されるため、開き戸と車両との接触を防止することが可能となる。ここで、車両に開き戸が接触する可能性がある場合に開き戸の開放が禁止される構成としても開き戸と車両との接触を防止することができるが、この構成では、ガレージに出入りするための開き戸の使い勝手が低下すると考えられる。これに対して、開き戸の開度が制限される構成では、車両に接触しない程度の開き戸の開放が許容されることになるため、開き戸の使い勝手を向上させつつ、開き戸と車両との接触を防止することが可能となる。
【００１２】
また、制限手段が備えられていない構成では、開き戸が車両に接触しないように使用者等は開き戸の開度を手等で保持しながらガレージに出入りする必要があるが、制限手段が備えられている構成では、使用者等が開き戸の保持作業を行わなくても開き戸と車両との接触が防止されるため、ガレージへの出入りを容易に行うことが可能となる。
【００１３】
入庫検出手段によりガレージへの車両の入庫が検出され、且つ開き戸の開放操作が行われる場合に、開き戸が施錠されるように施錠手段（施錠装置２８）が施錠制御手段（マイコン４０）により制御されると良い。この場合、ガレージに車両が停まっていると、施錠手段による施錠を解除させない限りは開き戸を開放させることができない。故に、開き戸と車両との接触を防止することが可能となる。
【００１４】
以上説明したガレージ出入口の安全装置が、インナガレージ（ガレージ１５）により車両の入庫に必要なスペースが建物に確保されるとともに、インナガレージと建物本体（住宅１０）との間の使用者等の出入りが開口（出入口２２）を介して行われ、インナガレージ側へ開く開き戸（開き戸２３）により前記開口の開閉が行われる建物に適用されると良い。インナガレージに開口が設けられていると、使用者等は、屋外に出ることなく開口を介してインナガレージと建物内部との間を行き来することが可能となる。また、開き戸がインナガレージ側に開放されるため、建物内部におけるインナガレージを除く居住空間を極力広く確保することが可能となっている。但し、例えば建物の内部空間の広さが十分には確保されていない場合に居住空間が極力広く確保されると、車両に対するインナガレージの広さが十分には確保されにくくなり、開き戸がガレージ側に開放されるとその開き戸は車両に接触し易くなると考えられる。この場合、ガレージ出入口の安全装置が奏する上記の各効果を建物において享受することができる。
【発明を実施するための最良の形態】
【００１５】
（第１の実施の形態）
以下、本発明を具体化した一実施形態を図面に基づいて説明する。本実施形態では、ガレージ１５に入庫された車両１６と、ガレージ１５への出入りを行うために開放される引き戸２３との接触を抑制するガレージ出入口の安全装置について説明する。図１は、本実施の形態におけるガレージ１５の周辺部分の平面構成を示す構成図である。
【００１６】
図１に示すように、住宅１０には、第１居室１１や第２居室１２、廊下１３などが備えられている。また、住宅１０には、廊下１３に隣接するようにしてガレージ１５が備えられている。ガレージ１５は、住宅１０に一体的に設けられた所謂インナガレージとなっており、車両１６の入庫が可能なスペースを有している。廊下１３とガレージ１５との間にはそれらの空間を仕切る内部壁２１が設けられており、内部壁２１には、廊下１３とガレージ１５とを連通する出入口２２が形成されている。出入口２２は住人等（ガレージ１５の使用者等ともいう）の出入りが可能な大きさとなっており、内部壁２１には、出入口２２に対して開閉可能な開き戸２３が設けられている。
【００１７】
開き戸２３は、ガレージ１５側への開放が可能になっており、開き戸２３が開放されると、住人等は出入口２２を介して廊下１３とガレージ１５とを行き来することが可能となる。換言すれば、開き戸２３は、住人等が廊下１３からガレージ１５にアクセスするためのものである。また、開き戸２３が廊下側に開放されないため、開き戸２３がガレージ１５側に開放される構成に比べて、廊下１３等の居住空間を極力広く確保することが可能となっている。また、出入口２２に対して引き戸が設けられている構成に比べて、コスト低減を図ることが可能となっている。
【００１８】
ここで、ガレージ１５は、敷地に住宅１０とガレージ１５とを別々の建物として設けることが困難な場合、すなわち住宅１０に対する敷地の広さが十分ではない場合に、インナガレージとして住宅１０の一部に設けられることがある。また、この場合、ガレージ１５では、車両１６が入庫された状態で十分に余裕のある空間を確保することが困難になっていると考えられる。したがって、ガレージ１５に車両１６が入庫されていると、住人等がガレージ１５と廊下１３とを行き来することを目的として開き戸２３を開放した際に、その開き戸２３が車両１６に接触する可能性が発生することになる。
【００１９】
開き戸２３には、住人などが操作するための内側柄部２５及び外側柄部２６が取り付けられており、開き戸２３が出入口２２に対して閉鎖されている場合、それら内側柄部２５又は外側柄部２６に対する予備操作が行われない限りは開き戸２３の閉鎖状態が保持される構成となっている。具体的に説明すると、開き戸２３には、その開き戸２３を閉鎖状態で仮にロックする仮ロック機構が設けられており、その仮ロック機構は内側柄部２５及び外側柄部２６に対する操作と連動して仮ロック状態及び解除状態に移行するようになっている。例えば、柄部２５，２６が回転可能なドアノブにより構成されている場合、柄部２５，２６に対する予備操作としてドアノブに対する回転操作が行われると、仮ロック機構は解除状態に移行し、閉鎖されている開き戸２３の開放が可能となる。また、ドアノブに対する回転操作が行われないと、仮ロック機構は仮ロック状態にあり、開き戸２３の閉鎖状態が保持される。そして、開き戸２３が閉鎖されている場合、廊下１３からは内側柄部２５に対する予備操作が行われることで開き戸２３の開放が可能となり、ガレージ１５側からは外側柄部２６に対する予備操作が行われることで開き戸２３の開放が可能となる。
【００２０】
開き戸２３は、閉鎖された場合に施錠されるオートロック機能を有している。より詳しくは、開き戸２３には、その開き戸２３の施錠及び解錠（ロック及びアンロック）を行う施錠装置２８が設けられている。施錠装置２８は施錠状態又は解錠状態への移行が可能となっており、開き戸２３が閉鎖されている状態で施錠装置２８が施錠状態にある場合にその開き戸２３は施錠され、施錠装置２８が解錠状態にある場合に開き戸２３は解錠される。開き戸２３が閉鎖された場合、施錠装置２８は自動で施錠状態に移行される。すなわち、開き戸２３は、閉鎖に伴って自動で施錠（オートロック）されるようになっている。
【００２１】
開き戸２３は、施錠装置２８が解錠状態にある場合に限って内側柄部２５又は外側柄部２６に対する予備操作の実行が可能となっているおり、これにより、開き戸２３の開放が可能となっている。施錠装置２８には、移動可能なロックバー（図示略）が備えられており、施錠装置２８が施錠状態とされた場合に、ロックバーが開き戸２３から内部壁２１側に突出することで開き戸２３が施錠され、施錠装置２８が解錠状態とされた場合に、ロックバーが没入することで開き戸２３が解錠される。
【００２２】
開き戸２３には、そのガレージ１５側（外側柄部２６の操作が可能な側）にキー操作部が設けられており、操作キーによりキー操作部に対する解錠操作が行われることで施錠装置２８が解錠状態に移行する。したがって、開き戸２３が閉鎖され且つ施錠されていても、住人等は操作キーを用いることでガレージ１５側から開き戸２３を開放することが可能となる。これにより、例えば操作キーを所持していない不審者による開き戸２３の開放が抑制され、ひいては住宅１０への不審者の侵入が抑制されることになる。
【００２３】
施錠装置２８には、電気的なアクチュエータ（図示略）が備えられており、アクチュエータが駆動することで開き戸２３に対してロックバーが突出したり没入したりするようになっている。例えば、アクチュエータが施錠駆動すると施錠装置２８が施錠状態に移行し、アクチュエータが解錠駆動すると施錠装置２８が解錠状態に移行する。アクチュエータは、廊下１３に設けられているコントローラ３１により駆動制御されるようになっている。
【００２４】
コントローラ３１は、施錠装置２８と電気的に接続されており、アクチュエータの駆動制御を行うことで施錠装置２８の施錠制御を行うものである。コントローラ３１には、施錠装置２８を解錠状態に移行させるための解錠ボタン３３が設けられており、住人等により解錠ボタン３３に対する解錠ボタン操作が行われることで施錠装置２８が解錠状態に移行されるようになっている。したがって、開き戸２３が閉鎖され且つ施錠されていても、住人等は解錠ボタン３３に対する解錠ボタン操作を行うことで廊下１３側から開き戸２３を開放することが可能となる。
【００２５】
なお、コントローラ３１は、解錠ボタン操作が可能な状態及び位置となるように廊下１３に設置されている。また、コントローラ３１は、開き戸２３よりも居住空間側に設置されていればよく、第１居室１１や第２居室１２に設置されていてもよい。
【００２６】
ガレージ１５には、車両１６が入庫されたことを検出する入庫センサ３６が設けられている。入庫センサ３６はコントローラ３１と電気的に接続されており、その検出結果がコントローラ３１に出力されるようになっている。したがって、コントローラ３１では、ガレージ１５への車両１６の入庫やガレージ１５からの車両１６の出庫などを監視することが可能になっている。
【００２７】
開き戸２３において、内側柄部２５には、住人等がその内側柄部２５に触れたことを検出するタッチセンサ３５が設けられている。タッチセンサ３５はコントローラ３１と電気的に接続されており、その検出結果がコントローラ３１に出力されるようになっている。開き戸２３が閉鎖されている場合、住人等が開き戸２３を開放するには、まず内側柄部２５に触れて、次に内側柄部２５に対する予備操作を行う必要がある。したがって、内側柄部２５に対する住人等の接触がタッチセンサ３５により検出されることで、住人等によって行われる開き戸２３に対する開放操作が検出されることになる。
【００２８】
次に、ガレージ１５における出入口２２の安全装置の電気的な構成について図２を用いて説明する。
【００２９】
コントローラ３１には、ＣＰＵやメモリ等を有するマイクロコンピュータ４０（以下、マイコン４０ともいう）が備えられており、マイコン４０は、入庫センサ３６の検出結果やタッチセンサ３５の検出結果に基づいて施錠装置２８の施錠制御を行うことが可能となっている。
【００３０】
また、コントローラ３１には入出力ポートが設けられており、出力側には施錠装置２８が接続されている。マイコン４０は出力側を介して施錠信号及び解錠信号の出力が可能となっており、施錠信号が入力されると施錠装置２８は施錠状態に移行し、解錠信号が入力されると施錠装置２８は解錠状態に移行する。一方、入力側にはタッチセンサ３５と入庫センサ３６とが接続されており、マイコン４０には入力側を介して、開き戸２３の内側柄部２５への住人等による接触がタッチセンサ３５により検出された場合にそのタッチセンサ３５からタッチ信号が入力される。また、ガレージ１５への車両１６の入庫が入庫センサ３６により検出された場合にその入庫センサ３６から入庫信号が入力される。
【００３１】
さらに、コントローラ３１には、ガレージ１５への車両１６の入庫に関する情報を表示するモニタ４１と、その情報を報知音として報知するスピーカ４２とが設けられている。マイコン４０は、モニタ４１に表示させる表示内容を設定してモニタ４１の表示制御を行うとともに、スピーカ４２から出力させる報知音の種類を設定してスピーカ４２の報知制御を行う。そして、マイコン４０は、スピーカ４２に警告音を出力させるとともにモニタ４１に警告画像を表示させることで、開き戸２３の開放に対する警告を行うことが可能になっている。
【００３２】
加えて、コントローラ３１には、施錠装置２８の施錠制御に関する設定操作が住人等によって行われる設定スイッチ４３が設けられている。ここで、マイコン４０は、制御モードに基づいて施錠装置２８の施錠制御を行うようになっており、その制御モードとして、警告処理を行いつつ施錠装置２８を施錠状態のまま保持する施錠保持モードと、警告処理を行いつつ施錠装置２８を解錠状態に移行させる解錠モードとが設定可能となっている。そして、設定スイッチ４３に対する設定操作が行われることで、マイコン４０の制御モードが施錠保持モード、又は解錠モードに切替設定されるようになっている。
【００３３】
コントローラ３１に設けられている解錠ボタン３３には、解錠ボタン操作が行われたことを検出する解錠ボタンセンサ（図示略）が設けられている。解錠ボタンセンサにより、解錠ボタン操作が行われたことが検出された場合、マイコン４０には解錠ボタンセンサから解錠ボタン信号が入力される。
【００３４】
次いで、コントローラ３１のマイコン４０にて実行される施錠制御処理について図３のフローチャートを参照しつつ説明する。
【００３５】
図３において、ステップＳ１０１では、タッチセンサ３５からタッチ信号が入力されているか否かを判定する。これにより、開き戸２３の内側柄部２５に住人等が触ったか否かを判定することが可能となる。タッチ信号が入力されている場合、すなわち住人等により開き戸２３に対する開放操作が行われた場合、ステップＳ１０２に進み、入庫センサ３６から入庫信号が入力されているか否かを判定する。これにより、ガレージ１５に車両１６が入庫されているか否かを判定することが可能となる。
【００３６】
入庫信号が入力されていない場合、ステップＳ１０６に進み、解錠信号を施錠装置２８に対して出力し、施錠装置２８を解錠状態に移行させる。これにより、ガレージ１５に車両１６が入庫されていない場合、住人等は、解錠ボタン３３に対する解錠ボタン操作を行うことなく廊下１３側から開き戸２３を開放させることが可能となる。一方、入庫信号が入力されている場合、ステップＳ１０３に進む。
【００３７】
ステップＳ１０３では、警告処理を行う。具体的には、スピーカ４２から出力させる報知音を、ガレージ１５に車両１６が入庫されていることを住人等に警告する警告音に設定し、スピーカ４２を駆動させることで警告音を出力させる。また、モニタ４１に表示させる画像を、ガレージ１５に車両１６が入庫されていることを住人等に警告する警告画像に設定し、モニタ４１に警告画像を表示させる。そして、警告音の出力及び警告画像の表示を所定時間の経過後にそれぞれ停止させる。なお、開き戸２３が解錠されている場合は、スピーカ４２の警告音及びモニタ４１の警告画像を、車両１６が入庫されていることと開き戸２３が解錠されていることとを警告する内容に設定する。これにより、住人等は、開き戸２３が車両１６に接触しないように注意しながらその開き戸２３を開放させることになり、開き戸２３と車両１６との接触が抑制される。
【００３８】
続くステップＳ１０４では、施錠装置２８に対する制御モードを読み込み、ステップＳ１０５では、制御モードが解錠モードに設定されているか否かを判定する。制御モードが解錠モードに設定されている場合、ステップＳ１０６に進み、解錠信号を施錠装置２８に対して出力し、施錠装置２８を解錠状態に移行させる。これにより、ガレージ１５に車両１６が入庫されている場合でも、住人等は解錠ボタン３３に対する解錠ボタン操作を行うことなく廊下１３側から開き戸２３を開放させることが可能となる。そして、この場合、上記のようにスピーカ４２及びモニタ４１により開き戸２３の開放操作に対する警告が行われているため、開き戸２３と車両１６との接触が抑制される。
【００３９】
ステップＳ１０５にて、制御モードが解錠モードに設定されていない（施錠保持モードに設定されている）と判定された場合、ステップＳ１０７に進み、解錠ボタンセンサから解錠ボタン信号が入力されているか否かを判定する。これにより、解錠ボタン３３に対する解錠ボタン操作が行われたか否かを判定することが可能となる。解錠ボタン信号が入力されていない場合、施錠装置２８を解錠状態に移行させずに施錠状態が保持されるとしてそのまま本処理を終了する。この場合、ガレージ１５に停まっている車両１６と開き戸２３との接触が防止されることになる。一方、解錠ボタン信号が入力されている場合、ステップＳ１０６に進み、解錠信号を施錠装置２８に対して出力し、施錠装置２８を解錠状態に移行させる。これにより、ガレージ１５に車両１６が入庫されており、且つ制御モードが解錠モードに設定されていない（施錠保持モードに設定されている）場合でも、住人等は、解錠ボタン３３に対する解錠ボタン操作を行うことで廊下１３側から開き戸２３を開放させることが可能となる。
【００４０】
また、ステップＳ１０１にて、タッチ信号が入力されていないと判定された場合、ステップＳ１０７に進み、解錠ボタン信号が入力されていれば、ステップＳ１０６にて施錠装置２８を解錠状態に移行させる処理を行い、解錠ボタン信号が入力されていなければ、施錠装置２８を施錠状態のまま保持するとして本処理を終了する。これにより、住人等はあらかじめ開き戸２３を開錠させておき、それから開き戸２３を開放させることが可能となる。また、
以上詳述した本実施形態によれば、以下の優れた効果が得られる。
【００４１】
ガレージ１５に入庫センサ３６が設けられているとともに、開き戸２３の内側柄部２５にタッチセンサ３５が設けられているため、ガレージ１５に車両１６が入庫されている状態で開き戸２３の内側柄部２５に住人等が触れた場合に、モニタ４１に警告画像が表示されたりスピーカ４２から警告音を出力させたりして警告を発することが可能となる。車両１６の運転者等がガレージ１５側から開き戸２３を開放させる場合は、ガレージ１５に車両１６が停まっていることを視認しながら車両１６に接触しないように開き戸２３を開放させることが可能となるが、住人等が廊下１３側から開き戸２３を開放させる場合は、ガレージ１５に車両１６が停まっているか否かを視認できず、開き戸２３が車両１６に接触する可能性が高くなると考えられる。これに対して、警告処理が行われると、住人等は居住空間（廊下１３）側からガレージ１５への車両１６の入庫を察知することが可能となり、開き戸２３が車両１６に接触しないように注意しながら開き戸２３を廊下１３側から開放させることができる。故に、ガレージ１５に停まっている車両１６と、ガレージ１５へアクセスするための開き戸２３との接触を抑制することができる。
【００４２】
タッチセンサ３５により、住人等が開き戸２３の内側柄部２５に触ったことが検出されるため、開き戸２３が実際に開放される前に警告を発することが可能となる。例えば、開き戸２３に対する開放動作が行われた後に警告を発する構成では、開き戸２３が実際に開放されてその開き戸２３が車両１６に接触した後に警告が発せられるおそれがある。これに対して、内側柄部２５に対する住人等の接触に応じて警告が発せられると、車両１６と開き戸２３との接触をより確実に抑制することができる。
【００４３】
ここで、廊下１３側における開き戸２３の周辺を検出エリアとする人感センサが設けられている構成でも、開き戸２３が実際に開放される前に警告を発することが可能となる。例えば、人感センサの検出エリア内に住人等が存在することが検出された場合にコントローラ３１にて警告処理が行われるようにする。但し、この構成では、ガレージ１５に車両１６が入庫されている場合に、住人等が単に廊下１３における開き戸２３の周辺を通過しただけも警告が発せられる可能性がある。通常、ガレージ１５の広さを十分に確保することが困難な住宅１０では、第１居室１１や第２居室１２などの空間を極力広く確保するために、廊下１３は住人等の歩行が可能な程度の広さに限定されていると考えられる。したがって、人感センサの検出エリアに侵入しないように開き戸２３の周辺を通過することが困難となり、開き戸２３を開放する意思がなくても警告が発せられる不具合が生じる可能性がある。これに対して、内側柄部２５にタッチセンサ３５が設けられていると、前記不具合の発生を抑制しつつ、開き戸２３が実際に開放される前に警告を発することが可能となる。
【００４４】
施錠装置２８に対するマイコン４０の制御モードが施錠保持モードに設定されている場合、マイコン４０に入庫信号とタッチ信号とが入力されると施錠装置２８が施錠状態のまま保持され、マイコン４０に解錠ボタン信号が入力されない限りは施錠装置２８が解錠状態に移行しない。したがって、ガレージ１５に車両１６が入庫されていると、住人等は解錠ボタン３３に対する解錠ボタン操作を行わない限りは廊下１３側から開き戸２３を開放させることができない。これにより、仮に、開き戸２３が少しだけ開放されることでその開き戸２３が接触してしまう位置に車両１６が停止されていたとしても、開き戸２３が解錠されない限りは車両１６との接触を防止することが可能となる。
【００４５】
（第２の実施の形態）
本実施の形態では、上記第１の実施形態と異なり、ガレージ１５への車両１６の入庫を検出する入庫センサ３６が設けられているのではなく、開き戸２３の可動エリア内への車両１６の進入を検出するエリア進入センサ５１が設けられている。そこで、エリア進入センサ５１について図４を参照しつつ説明する。図４は、本実施の形態におけるガレージ１５の周辺部分の平面構成を示す構成図である。なお、上記第１の実施形態と同一の構成については基本的にその説明を省略する。
【００４６】
図４に示すように、ガレージ１５には入庫センサ３６ではなく、エリア進入センサ５１が設けられている。エリア進入センサ５１は、図４に破線で示すように検出エリア５２内に車両１６の少なくとも一部が進入したことを検出するセンサである。検出エリア５２は、少なくとも開き戸２３の可動エリアを含んだ広さのエリアとなっており、車両１６と開き戸２３との接触がより確実に防止されるように開き戸２３の可動エリアより例えば１０ｃｍ程度広くなっている。エリア進入センサ５１は、入庫センサ３６に代わってコントローラ３１と電気的に接続されており、その検出結果がコントローラ３１に出力されるようになっている。例えば検出エリア５２に車両１６が進入した場合、エリア進入センサ５１からはエリア進入信号がコントローラ３１に対して出力される。したがって、コントローラ３１では、検出エリア５２に対する車両１６の出入りを検知することが可能になっている。
【００４７】
次に、コントローラ３１のマイコン４０にて実行される施錠制御処理について説明する。本実施の形態では、図３のフローチャートに示す施錠制御処理におけるステップＳ１０２にて行う処理が、入庫センサ３６から入庫信号が入力されているか否かを判定する処理に代えて、エリア進入センサ５１からエリア進入信号が入力されているか否かを判定する処理となっている。
【００４８】
マイコン４０は、タッチ信号が入力されており（ステップＳ１０１がＹＥＳ判定の場合）、且つエリア進入信号が入力されていない場合（ステップＳ１０２がＮＯ判定の場合）、施錠装置２８を解錠状態に移行させる。これにより、仮にガレージ１５に車両１６が入庫されていてもその車両１６が検出エリア５２に進入していなければ、住人等は、解錠ボタン３３に対する解錠ボタン操作を行うことなく廊下１３側から開き戸２３を開放させることが可能となる。故に、ガレージ１５に車両１６が入庫されている場合の開き戸２３の使い勝手を向上させることが可能となる。
【００４９】
一方、タッチ信号が入力されており、且つエリア進入信号が入力されている場合（ステップＳ１０２がＹＥＳ判定の場合）、マイコン４０は警告処理を行う。これにより、車両１６が検出エリア５２に進入している状態で、住人等が解錠ボタン３３に対する解錠ボタン操作を行った後に開き戸２３を開放させる際、その住人等は、開き戸２３が車両１６に接触しないように注意しながら開き戸２３を開放させることになるため、開き戸２３と車両１６との接触が抑制される。
【００５０】
以上詳述した本実施の形態によれば、検出エリア５２内に車両１６の少なくとも一部が存在している場合に限って、開き戸２３の内側柄部２５に住人等が触れると、モニタ４１やスピーカ４２から警告を発することが可能となる。例えば、ガレージ１５に車両１６が入庫されていても、検出エリア５２内に車両１６の少なくとも一部が存在していない場合は、開き戸２３が車両１６に接触する可能性がないため、住人等が廊下１３側から開き戸２３を開放させる際に開き戸２３が車両１６に接触しないように注意する必要がないと考えられる。したがって、ガレージ１５にエリア進入センサ５１が設けられていることで、開き戸２３と車両１６とが接触するおそれがある場合に限って、開き戸２３の開放操作に際して住人等に注意を喚起することが可能となる。
【００５１】
（第３の実施の形態）
本実施の形態では、上記第１の実施形態と異なり、ガレージ１５への車両１６の入庫を検出する入庫センサ３６が設けられているのではなく、開き戸２３と車両１６との距離を検出する距離センサ６１が設けられている。そこで、距離センサ６１について図５，図６を参照しつつ説明する。図５は、本実施の形態におけるガレージ１５の周辺部分の平面構成を示す構成図、図６は、巻取機６４周辺の構成を説明するための説明図である。但し、便宜上、図６では内側柄部２５，外側柄部２６，施錠装置２８の図示を省略している。なお、上記第１の実施形態と同一の構成については基本的にその説明を省略する。
【００５２】
図５に示すように、ガレージ１５には入庫センサ３６ではなく、ガレージ１５への車両１６の入庫を検出しつつ開き戸２３と車両１６との距離を検出する距離センサ６１が設けられている。距離センサ６１は、開き戸２３におけるガレージ１５側（外側柄部２６の操作が可能な側）に、その開き戸２３の開放自由端側の先端に位置するように取り付けられており、自身と車両１６との距離を検出することで開き戸２３と車両１６との離間距離Ｌ（図６参照）を検出するようになっている。開き戸２３が開放された場合、開き戸２３の開放自由端側の先端が最も車両１６に接近すると考えられるため、距離センサ６１が開放自由端側の先端に取り付けられていることで、開き戸２３と車両１６との最も短い距離が離間距離Ｌとして検出されることになる。
【００５３】
距離センサ６１は、入庫センサ３６に代わって、コントローラ３１の入力側を介してマイコン４０と電気的に接続されており、その検出結果が入庫信号や距離信号としてコントローラ３１のマイコン４０に対して出力されるようになっている。したがって、コントローラ３１では、車両１６と開き戸２３との距離を監視することが可能となっている。
【００５４】
図６に示すように、内部壁２１には開き戸２３の開度を制限する制限手段として、ワイヤ６３の巻き取り及び送り出しが可能な巻取機６４が取り付けられている。巻取機６４は許可状態又は停止状態への移行が可能となっており、巻取機６４が許可状態にある場合にワイヤ６３の送り出しが可能となり、停止状態にある場合にワイヤ６３の送り出しが停止される。なお、巻取機６４は、停止状態にある場合でもワイヤ６３の巻き取りが可能な構成となっている。
【００５５】
ワイヤ６３の自由端側にはフック６５が接続されており、そのフック６５を介してワイヤ６３が開き戸２３に接続されている。具体的には、開き戸２３の廊下１３側（内側柄部２５の操作が可能な側）に受部６６が設けられており、その受部６６にフック６５が引っ掛けられている。そして、巻取機６４が許可状態にある場合は、開き戸２３の開放に伴って巻取機６４からワイヤ６３が送り出され、巻取機６４が停止状態に移行した場合は、巻取機６４からのワイヤ６３の送り出しが停止されて開き戸２３のこれ以上の開放が制限される。すなわち、開き戸２３の開度が制限される。なお、開き戸２３が閉鎖される場合には、巻取機６４の状態にかかわらず巻取機６４にワイヤ６３が巻き取られるようになっており、これにより、開き戸２３と内部壁２１との間にワイヤ６３が挟み込まれるといった不都合の発生が抑制される。
【００５６】
なお、受部６６は開き戸２３の上部における角隅部に配置されており、巻取機６４は受部６６と対向する位置にて内部壁２１に配置されている。これにより、巻取機６４が停止状態に移行した状態で開き戸２３の開度が制限されていても、住人等がガレージ１５への出入りを行う際にワイヤ６３がその出入りの支障となりにくくなっている。
【００５７】
巻取機６４には電気的なアクチュエータ（図示略）が備えられており、アクチュエータが駆動することで巻取機６４が許可状態又は停止状態に移行するようになっている。巻取機６４は、コントローラ３１において出力側を介してマイコン４０と電気的に接続されており、マイコン４０により駆動制御が行われるようになっている。そして、マイコン４０から許可信号が出力された場合に巻取機６４は許可状態に移行し、停止信号が出力された場合に巻取機６４は停止状態に移行する。したがって、マイコン４０により開き戸２３の開度制限制御が行われることになる。
【００５８】
次に、マイコン４０にて実行される開き戸２３の開度制限制御処理について図７のフローチャートを参照しつつ説明する。
【００５９】
図７において、ステップＳ２０１〜Ｓ２０７の処理は、上記第１の実施の形態におけるステップＳ１０１〜Ｓ１０７と同一の処理となっている。ステップＳ２０６にて、解錠信号を施錠装置２８に対して出力し、施錠装置２８を解錠状態に移行させた後、ステップＳ２０８に進み、距離センサ６１から出力される距離信号の読込処理を行い、距離信号に基づいて離間距離Ｌを算出する。
【００６０】
ステップＳ２０９では、離間距離Ｌが、あらかじめ定められた特定距離Ｎより大きいか否かを判定する。特定距離Ｎは、例えば１０ｃｍ程度に設定されており、開き戸２３の開度が大きくなると離間距離Ｌは小さくなるため、離間距離Ｌが特定距離Ｎより小さくなると開き戸２３が車両１６に接触する可能性が発生することになる。なお、特定距離Ｎは、開き戸２３と車両１６とが接触しない距離であるとともに、開き戸２３の開度が極力大きく確保される距離であることが好ましい。これは、ガレージ１５に車両１６が入庫されている状態でも、出入口２２に対する住人等の出入りが可能となることで、開き戸２３の使い勝手をさせることが可能となるためである。
【００６１】
ステップＳ２０９にて、離間距離Ｌが特定距離Ｎより大きいと判定された場合、開き戸２３が車両１６に接触せずに開放されることが可能であるとして、そのまま本処理を終了する。また、ガレージ１５に車両１６が入庫されていなければ、開き戸２３の開度に無関係に離間距離Ｌが特定距離Ｎより大きいと判定するようになっており、開度が制限されることなく住人等は開き戸２３を開放させることが可能となる。一方、離間距離Ｌが特定距離Ｎより大きくないと判定された場合、すなわち離間距離Ｌが特定距離Ｎと同等の距離になった場合、ステップＳ２１０に進み、開き戸２３の開度がこれ以上大きくなると車両１６に接触するおそれがあるとして、開度制限処理を行う。具体的には、巻取機６４に対して停止信号を出力し、巻取機６４を停止状態に移行させる。これにより、開き戸２３の開度が制限され、開き戸２３と車両１６との接触が抑制されている。
【００６２】
以上詳述した本実施の形態によれば、離間距離Ｌが特定距離Ｎと同等の距離になった場合に開き戸２３の開度が制限されるため、開き戸２３と車両１６との接触を防止することが可能となる。この場合、ガレージ１５への住人等の出入りが可能な程度に開き戸２３が開放されると、開き戸２３が車両１６に接触しないようにその開き戸２３の開度を手等で保持するといった作業を行うことなく、住人等はガレージ１５に出入りすることが可能となる。このため、ガレージ１５への出入りを容易にしつつ、開き戸２３と車両１６との接触を防止することが可能となる。
【００６３】
離間距離Ｌが特定距離Ｎと同等の距離になるまで開き戸２３を開放させることが可能であるため、開き戸２３の使い勝手を向上させることが可能となる。例えば、開き戸２３が車両１６に接触する可能性があるとその開き戸２３が施錠される構成の場合、開き戸２３を開放する前に解錠する必要があるため、開き戸２３の使い勝手が低下するおそれがある。したがって、離間距離Ｌが特定距離Ｎと同等の距離になった場合に開き戸２３の開度が制限される構成とすることで、開き戸２３に対する解錠の必要がなく開放させることが可能となるため、開き戸２３の使い勝手を向上させつつ、開き戸２３と車両１６との接触を防止することが可能となる。
【００６４】
（その他の実施形態）
本発明は上記各実施形態の記載内容に限定されず、例えば次のように実施してもよい。
【００６５】
・上記各実施の形態では、ガレージ１５に車両１６が入庫されている状態で住人等が開き戸２３の内側柄部２５に触れた場合に、スピーカ４２及びモニタ４１により警告が行われる構成としたが、それらのうち一方により警告が行われる構成としてもよい。要は、住人等による開き戸２３の開放操作が行われる際に、ガレージ１５に車両１６が停止していることを住人等に察知させることが可能な構成であればよい。
【００６６】
・上記各実施の形態では、開き戸２３に対する開放操作として、住人等が開き戸２３の内側柄部２５に触れたことを検出するタッチセンサ３５が開き戸２３に設けられている構成としたが、内側柄部２５に対する予備操作が行われたことを検出するセンサが開き戸２３に設けられている構成としてもよく、内側柄部２５以外の開き戸２３の一部に住人等が触れたことを検出するセンサが開き戸２３に設けられている構成としてもよい。いずれの場合でも、開き戸２３の開放に対する警告を行うことが可能となる。
【００６７】
・上記各実施の形態では、開き戸２３において、ガレージ１５側から操作キーによりキー操作部に対する解錠操作が行われることで施錠装置２８が解錠状態に移行される構成としたが、操作キーから送信されるＩＤ信号に基づいて施錠装置２８が解錠状態に移行される構成としてもよい。例えば、操作キーとコントローラ３１との間で無線通信が可能であり、操作キーから出力されたＩＤ信号に基づいてコントローラ３１ではＩＤ認証が行われ、そのＩＤ信号が解錠許可の対象となる信号であると判定された場合にコントローラ３１が施錠装置２８を解錠状態に移行させる構成、すなわちスマートキーシステムが適用された構成とする。これにより、運転者等は操作キーを用いてキー操作部に対する解錠操作を行うことなくガレージ１５側から開き戸２３を開放することが可能となる。
【００６８】
・上記各実施の形態では、開き戸２３は、閉鎖に伴って自動で施錠（オートロック）される構成としたが、閉鎖されても自動では施錠されない構成としてもよい。但し、この場合、住人等が開き戸２３を施錠するには施錠装置２８を施錠状態に移行させる操作を行う必要があり、その操作の実行を忘れると不審者等により開き戸２３が無断で開放されるおそれがあるため、上記各実施の形態で説明したように、開き戸２３は閉鎖に伴って自動で施錠される構成とすることが好ましい。
【００６９】
・上記各実施の形態では、解錠ボタン３３、マイコン４０、モニタ４１、スピーカ４２及び設定スイッチ４３がコントローラ３１に設けられているが、これらは個別に開き戸２３などに設けられていてもよい。例えば、解錠ボタン３３が開き戸２３に設けられている場合、住人等は開き戸２３が施錠されていることを確認した後に、解錠ボタン操作を行うために開き戸２３から離れる必要がなく、速やかに開き戸２３を開錠させることが可能となる。
【００７０】
・上記各実施の形態では、モニタ４１での警告画像の表示とスピーカ４２からの警告音の出力とが所定時間の経過後にそれぞれ停止される構成としたが、住人等の操作により停止される構成としてもよい。例えば、解錠ボタン３３に対する解錠ボタン操作が行われることで警告画像の表示と警告音の出力とが停止される構成とする。これにより、警告が発せられる期間が短いことなどに起因してその警告に住人等が気付かないといった不都合の発生を抑制することが可能となる。
【００７１】
・上記第３の実施の形態では、距離センサ６１が開き戸２３に設けられているが、開き戸２３と車両１６との間の距離（離間距離Ｌ）の検出が可能であれば開き戸２３に設けられていなくてもよい。例えば、ガレージ１５の内側壁面に設けられていても、離間距離Ｌが検出されることで開き戸２３と車両１６との接触を抑制することが可能となる。
【００７２】
・上記第３の実施の形態では、巻取機６４からのワイヤ６３の送り出しが停止されることで開き戸２３の開度が制限される構成としたが、開閉動作が電気的に行われる開き戸２３において、開閉動作が電気的に停止されることで開き戸２３の開度が制限される構成としてもよい。この場合でも、開き戸２３と車両１６との接触を抑制することが可能となる。
【００７３】
・上記第２及び第３の実施の形態において、ガレージ１５に入庫センサ３６が設けられていてもよく、上記第３の実施の形態において、ガレージ１５に距離センサ６１が設けられていてもよい。いずれの場合でも、開き戸２３と車両１６との接触を抑制することが可能となる。
【００７４】
・上記各実施の形態では、警告画像が表示されるモニタ４１が備えられているが、タッチパネル機能を有するモニタ４１が備えられていてもよい。例えば、解錠ボタン３３に対する解錠ボタン操作に相当する操作や、設定スイッチ４３に対する設定操作に相当する操作がモニタ４１上で行われる構成とする。
【００７５】
・上記各実施の形態では、施錠装置２８が開き戸２３に設けられているが、内部壁２１側に設けられていてもよい。この場合でも、出入口２２に対して開き戸２３を閉鎖状態で保持することが可能となる。
【００７６】
・上記各実施の形態では、開き戸２３が設けられている出入口２２により、廊下１３とガレージ１５とが連通されている構成としたが、第１居室１１とガレージ１５とが連通されている構成としてもよく、第２居室１２とガレージ１５とが連通されている構成としてもよい。要は、出入口２２により居住空間とガレージ１５とが連通されている構成であればよく、これにより、住人等は居住空間から屋外に出ることなくガレージ１５に出入りすることが可能となる。
【００７７】
・上記各実施の形態では、ガレージ出入口の安全装置が、住宅１０に一体的に設けられた所謂インナガレージとしてのガレージ１５に適用されているが、住宅１０と別の建物として設けられたガレージ１５に適用されてもよい。要は、前記安全装置が、開き戸２３と車両１６とが接触する可能性のあるガレージ１５に適用されることで、開き戸２３と車両１６との接触を抑制することが可能となる。
【図面の簡単な説明】
【００７８】
【図１】第１の実施の形態におけるガレージ１５の周辺部分の平面構成を示す構成図。
【図２】ガレージにおける出入口の安全装置の電気的な構成を示すブロック図。
【図３】マイコンにより実行される施錠制御処理を示すフローチャート。
【図４】第２の実施の形態におけるガレージ１５の周辺部分の平面構成を示す構成図。
【図５】第３の実施の形態におけるガレージ１５の周辺部分の平面構成を示す構成図。
【図６】巻取機周辺の構成を説明するための説明図。
【図７】マイコンにより実行される開き戸の開度制限制御処理を示すフローチャート。
【符号の説明】
【００７９】
１０…住宅、１５…ガレージ、１６…車両、２２…出入口、２３…開き戸、２８…施錠装置、３５…タッチセンサ、３６…入庫センサ、４０…マイコン、４１…モニタ、４２…スピーカ、６４…巻取機。
【図１】
0005067932.tif 000002
【図２】
0005067932.tif 000003
【図３】
0005067932.tif 000004
【図４】
0005067932.tif 000005
【図５】
0005067932.tif 000006
【図６】
0005067932.tif 000007
【図７】
0005067932.tif 000008